(57)【要約】【課題】本発明は、外包材を容易に除去可能とした開封テープ付きパッケージを提供する。【解決手段】本発明の開封テープ付きパッケージは、シガレットパック（１０）と、このパック（１０）を包み込んだ開封テープ（１８）付きの透明な外包材（１６）とを備えており、開封テープ（１８）は、パック（１０）の上部に位置付けられ、パック（１０）の胴回りにその全周に亘って延びる主テープ要素（２０）と、主テープ要素（２０）の一端を有した開封タブ（２２）と、開封タブ（２２）に始端（２８）を有した副テープ要素（２６）とを含み、副テープ要素（２６）は開封タブ（２２）側に始端側部位（３０）を有し、始端側部位（３０）は、開封タブ（２２）からパック（１０）の底に向けて主テープ要素（２０）との間の間隔を増加させながら、パック（１０）の胴回りに延びている。【選択図】図１
2014231355.tif 000002
【特許請求の範囲】
【請求項１】
直方体形状をなした被包装品と、
前記被包装品を覆う外包材と、
前記外包材に設けられ、前記被包装品の胴回りに沿って前記外包材を引き裂き可能とする開封テープと
を備え、
前記開封テープは、
前記外包材に貼り付けられ、前記被包装品の一端部側に位置付けられ且つ前記被包装品の胴回りに沿って延びる主テープ要素と、
前記外包材に貼り付けられ、前記主テープ要素に結合された始端を有するとともに、この始端から前記被包装品の他端部に向けて前記主テープ要素との間隔を増加させ且つ前記被包装品の胴回りに延びる始端側部位を有した副テープ要素とを含むことを特徴とする開封テープ付きパッケージ。
【請求項２】
前記開封テープは、前記外包材と一体に形成され、前記主テープ要素の一端を有する開封タブを更に含み、
前記副テープ要素の前記始端は、前記開封タブにて前記主テープ要素に結合されていることを特徴とする請求項１に記載の開封テープ付きパッケージ。
【請求項３】
前記副テープ要素は、前記主テープ要素に結合された終端及びこの終端と前記始端側部位とを接続し、前記主テープ要素から前記被包装品の他端部に向け且つ前記被包装品の胴回りに延びる終端側部位を更に有することを特徴とする請求項２に記載の開封テープ付きパッケージ。
【請求項４】
前記副テープ要素の前記終端は、前記開封タブの近傍又は前記開封タブから前記被包装品の胴回りの方向に離れた位置にて前記主テープ要素に結合されていることを特徴とする請求項３に記載の開封テープ付きパッケージ。
【請求項５】
前記副テープ要素の前記始端側部位及び前記終端側部位は対応する側の前記端から前記主テープ要素との間の離間距離を増大せせるべく直線状又は湾曲して延びていることを特徴する請求項４に記載の開封テープ付きパッケージ。
【請求項６】
前記副テープ要素は、前記始端側部位と前記終端側部位との間に介在し且つ前記主テープ要素と平行な中間部位を更に有することを特徴する請求項５に記載の開封テープ付きパッケージ。
【請求項７】
前記開封タブは、前記被包装品の角縁に位置付けられていることを特徴とする請求項２〜６の何れかに記載の開封テープ付きパッケージ。
【発明の詳細な説明】
【技術分野】
【０００１】
本発明は、例えばシガレットパック又はシガレットパックの集合体を被包装品とした開封テープ付きパッケージに関する。
【背景技術】
【０００２】
シガレットパックは透明なフィルムからなる外包材で覆われており、この外包材はシガレットパック内のシガレットを湿気等から保護する一方、シガレットの香味や風味がシガレットパック外に逃げるのを阻止する。また、外包材には開封テープが貼り付けられており、外包材が開封テープに沿って引き裂かれることで、シガレットパックを容易に開封することができる。
【０００３】
詳しくは、シガレットパックがヒンジリッドタイプの場合、開封テープに沿う外包材の引き裂きは、外包材をシガレットパックの本体を覆う下部と、ヒンジリッド側の上部とに分断し、この後、外包材の上部をシガレットパックから除去することで、ヒンジリッドの開閉が可能となる。
ところで、一般的なヒンジリッドタイプに代えて、例えばタングリッドタイプ（特許文献１）やサイドオープンタイプ（特許文献２）等の新規な開閉形態を有するシガレットパックが知られている。
【０００４】
このような新規な開閉形態を有するシガレットパックにあっては、その開閉にシガレットパックからの外包材の完全な除去が要求されるが、従来の開封テープでは、外包材の上部はともかく、その下部は比較的大きく、しかも外包材は皺の発生を阻止するために加熱収縮（シュリンク）されていることから、シガレットパックから外包材の除去は容易ではない。
それ故、外包材の除去が容易な開封テープが望まれ、例えばシガレットパックの前面及び後面のそれぞれにてその対角線上を延びる開封テープが知られている（特許文献３）。
【先行技術文献】
【特許文献】
【０００５】
【特許文献１】国際公開第2006/075624号パンフレット
【特許文献２】米国特許第3881599号明細書
【特許文献２】特許第4184271号公報
【発明の概要】
【発明が解決しようとする課題】
【０００６】
特許文献３の開封テープの場合、この開封テープに沿って外包材が引き裂かれれば、外包材は同等な大きさの２つの分割部位、即ち、シガレットパックの対角線に沿って二分されるもの、このような外包材の各分割部位は前述した外包材の下部と上部との中間の大きさを有することから、外包材全体でみたとき、その除去は余り容易になるものでもない。
【０００７】
本発明は上述の事情に基づいてなされたもので、その目的とすることは、簡単な開封操作でもって外包材全体の除去を容易に行うことができる開封テープ付きパッケージを提供することにある。
【課題を解決するための手段】
【０００８】
上述の目的は本発明の開封テープ付きパッケージによって達成され、このパッケージは、直方体形状をなした被包装品と、この被包装品を覆う外包材と、外包材に設けられ、被包装品の胴回りに沿って外包材を引き裂き可能とする開封テープとを備え、この開封テープは、外包材に貼り付けられ、被包装品の一端部側に位置付けられ且つ被包装品の胴回りに沿って延びる主テープ要素と、外包材に貼り付けられ、主テープ要素に結合された始端を有するとともに、この始端から被包装品の他端部に向けて主テープ要素との間隔を増加させ且つ被包装品の胴回りに延びる始端側部位を有した副テープ要素とを含む（請求項１）。
【０００９】
具体的には、開封テープは、外包材と一体に形成され、主テープ要素の一端を有する開封タブを更に含み、副テープ要素の始端は、開封タブにて主テープ要素に結合されている（請求項２）。
上述のパッケージによれば、開封タブに主テープ要素の一端及び副テープ要素の始端が共に結合されているので、ユーザが開封タブを指で摘み、この開封タブを被包装品の胴回りの方向に引っ張ることで、外包材は開封タブから主テープ要素及び副テープ要素のそれぞれ沿って引き裂かれることで引き裂き帯が形成される。
【００１０】
このような引き裂き帯はその引き裂きが進行するに連れて、その幅が増加されることから、外包材に大きな開口を形成する。それ故、外包材が加熱収縮を受けているとしても、引き裂き帯が形成する開口は被包装品からの外包材の除去を容易にする。
具体的には、副テープ要素は、主テープ要素に結合された終端及びこの終端と始端側部位とを接続し、主テープ要素から被包装品の他端部に向け且つ被包装品の胴回りに延びる終端側部位を更に有する（請求項３）。
【００１１】
この場合、副テープ要素の終端は、開封タブの近傍又は開封タブから前記被包装品の胴回りの方向に離れた位置にて主テープ要素に結合され（請求項４）、更には、副テープ要素の始端側部位及び終端側部位は対応する側の端から主テープ要素との間の離間距離を増大せせるべく直線状又は湾曲して延びている（請求項５）。
更にまた、副テープ要素は、始端側部位と終端側部位との間に介在し且つ主テープ要素と平行な中間部位を有することもでき（請求項６）、そして、開封タブは、被包装品の角縁に位置付けられているのが好ましい（請求項７）。
【発明の効果】
【００１２】
請求項１〜７の開封テープ付きパッケージは、外包材を開封開始位置、即ち、開封タブから帯状に大きく開口させながら引き裂くことができるので、外包材が加熱収縮を受けているとしても、被包装品からの外包材の除去を容易に行うことができる。
【図面の簡単な説明】
【００１３】
【図１】第１実施例のパッケージを示した斜視図である。
【図２】図１のパッケージの後面図である。
【図３】図１のパッケージの側面図である。
【図４】図１のパッケージを一部拡大して示した図である。
【図５】図１の外包材を形成するブランクを示した図である。
【図６】第２実施例のパッケージの前面図である。
【図７】図６の外包材を形成するブランクを示した図である。
【図８】第３実施例のパッケージの前面図である。
【図９】図８の外包材を形成するブランクを示した図である。
【発明を実施するための形態】
【００１４】
図１を参照すれば、第１実施例のパッケージは被包装品としての直方体形状をなすシガレットパック（以下、単にパックと称する）１０を備え、このパック１０は開閉可能なタングリッド１２を有した外箱１４と、この外箱１４に収容された内包体（図示しない）とを含む。なお、内包体はフィルタシガレットの束を内包材により包み込んで形成されている。
【００１５】
上述のパック１０は外包材１６によって包み込まれており、この外包材１６は透明なフィルム材料からなり、加熱収縮を受けている。更に、外包材１６は開封テープ１８を備えており、この開封テープ１８について、以下に詳述する。
開封テープ１８は外包材１６の内面に貼り付けられた主テープ要素２０を含み、この主テープ要素２０はパック１０の上部にて、タングリッド１２のタング部を横断するようにパック１０の胴回りにその全周に亘って延びている。詳しくは、主テープ要素２０はパック１０の全周に亘って、そのトップ面Ｔと平行に延び、開封タブ２２に位置付けられた一端２４を有する。
【００１６】
開封タブ２２は外包材１６の一側縁に一体に形成され、図１でみてパック１０の一側面Ｓ1にて、パック１０の前面Ｆ側の角縁に位置付けられている。
開封テープ１８は副テープ要素２６を更に含み、この副テープ要素２６もまた外包材１６の内面に貼り付けられている。図２に示されるように副テープ要素２６は開封タブ２２に位置付けられた始端２８を有し、この始端２８は主テープ要素２０の一端２４に結合されている。
【００１７】
副テープ要素２６はその始端２８から延びる始端側部位３０を有し、この始端側部位３０はパック１０の下端、即ち、その底Ｂに向け且つパック１０の一方の胴回りに直線的に延びている。詳しくは、図２及び図３から明らかなように始端側部位３０はパック１０の一側面から後面Ｒを経て他側面Ｓ2に至り、その下端は底Ｂから所定の距離を存して位置付けられている。従って、始端側部位３０と主テープ要素２０との間の距離は始端２８から下端に向かうに連れて増大する。
【００１８】
更に、図２から明らかなように、開封タブ２２の根元は、外包材１６の一側縁１６ｓから外包材１６内に延在する一対の切込み２２ｃによって形成され、これら切込み２２ｃ間から主テープ要素２０及び副テープ要素２６の始端側部位３０が分岐するように延出していることを留意すべきである。
【００１９】
一方、副テープ要素２６は終端３２を有し、本実施例の場合、終端３２もまた主テープ要素２０に結合されている。具体的には、図１及び図４から明らかなように終端３２は開封タブ２２の近傍に位置付けられており、そして、副テープ要素２６は終端３２から延びる終端側部位３４を更に含む。
【００２０】
詳しくは、終端側部位３４は終端３２からパック１０の底Ｂに向け且つ前述の一方の胴回りとは逆のパック１０の胴回りに直線的に延び、パック１０の前面Ｆを横断してパック１０の他側面Ｓ２に至り、そして、この他側面Ｓ２にて中間部位３６を介して始端側部位３０に接続されている。ここで、中間部位３６は主テープ要素２０と平行である。
【００２１】
図５は外包材１６を形成するブランク３８を示しており、このブランク３８から開封テープ１８の構成がより明らかとなる。なお、ブランク３８は長尺なウエブを所定の長さ毎に切断することにより得られ、この切断と同時に開封タブ２２が形成される。
【００２２】
上述したパッケージによれば、ユーザが指で摘んだ開封タブ２２を主テープ要素２０に沿いパック１０の一方の胴回りに引っ張ると、開封タブ２２の根元を形成する一対の切込み２２ｃをそれぞれ開封始端として外包材１６に２本の引き裂きが発生し、一方の引き裂きは主テープ要素２０の直上側を主テープ要素２０に沿って伝播し、他方の引き裂きは副テープ要素２６の直下側を副テープ要素２６に沿って伝播する。
【００２３】
それ故、外包材１６は、開封タブ２２から帯状に引き裂かれていくが、この引き裂き帯の幅は主テープ要素２０と副テープ要素２６との間の離間距離によって決定される。つまり、引き裂き帯はその幅を増加させながら、副テープ要素２６の中間部位３６に至り、このとき、引き裂き帯の幅は最大となる。この後、引き裂き帯はその幅を減少させながら副テープ要素２６の終端に到達し、この時点で最小幅となる。
【００２４】
引き裂き帯の引き裂きが継続されると、引き裂き帯は主テープ要素２０の幅に沿って更に引き裂かれることで、パック１０の上下それぞれに外包材１６を部分的に残して外包材１６から分離されるか、又は、パック１０の下部のみに外包材１６の部分的に残し、パック１０の上部を覆う外包材１６の部位とともに外包材１６から分離される。
【００２５】
ここで、パック１０の上下に加熱収縮を受けている外包材１６の残部がそれぞれ残ったとしても、上下の残部間には引き裂き帯に対応した大きな開口が形成されていることから、パック１０からの上下の残部の引き抜きは容易であり、外包材１６の完全な除去を迅速且つ確実に行うことができる。つまり、パック１０の他側面Ｓ2での外包材１６の上下の残部は共に、パック１０のトップ又は底に至る被覆長さが何れも短いので、パック１０からの残部の取り外しは容易となる。
【００２６】
本発明は上述の第１実施例に制約されるものではなく、種々の変形が可能である。
例えば、図６及び図７は第２実施例のパッケージを示す。
第２実施例の場合、副テープ要素２６の終端３２はパック１０の後面Ｒに配置されているものと、開封タブ２２の近傍ではなく、開封タブ２２から所定の距離を存して配置されている。
【００２７】
具体的には、終端３２はパック１０の幅中央よりもパック１０の他側面Ｓ2側に位置付けられている。更に、図７から明らかなように副テープ要素２６は第１実施例の中間部位３６を有しておらず、副テープ要素２６において、始端側部位３０及び終端側部位３４は直接に接続されている。
【００２８】
また、図８及び図９は第３実施例のパッケージを示す。
第３実施例の場合、副テープ要素２６は第１実施例の場合と同様に開封タブ２２の近傍に位置付けられた終端３２及び中間部位３６を有するものの、始端側部位３０及び終端側部位３４は共に直線状ではなく湾曲形状をなしている。詳しくは、始端側部位３０及び終端側部位３４はその対応する端（始端２８又は終端）から中間部位３６に向け、主テープ要素２０との間の離間距離を増加させながらパック１０の底Ｂに向けて凸となる円弧形状に湾曲して延びている。
第２及び第３実施例のパッケージもまた、第１実施例の場合と同様な作用効果を発揮することは言うまでもない。
【００２９】
更に、第１〜第３実施例の場合には何れも、副テープ要素２６は主テープ要素２０に結合された終端３２を有しているが、この終端３２は必ずしも、主テープ要素２０に結合されている必要はなし、また、主テープ要素２０もまたパック１０のトップ面Ｔと平行に延びている必要はない。
更にまた、本発明のパッケージは複数のパック１０を集積したパックグループを外包材で覆ったものであってもよいし、そのパック１０自体もまたシガレットパックに限らないこと勿論、前述したタングリッドタイプ以外に、外包材の完全な除去を要求するような前述したサイドオープンタイプ等の形態であってもよい。
【符号の説明】
【００３０】
１０            パック
１６            外包材
１８            開封テープ
２０            主テープ要素
２２            開封タブ
２４            一端
２６            副テープ要素
２８            始端
３０            始端側部位
３２            終端
３４            終端側部位
３６            中間部位
【図１】
2014231355.tif 000003
【図２】
2014231355.tif 000004
【図３】
2014231355.tif 000005
【図４】
2014231355.tif 000006
【図５】
2014231355.tif 000007
【図６】
2014231355.tif 000008
【図７】
2014231355.tif 000009
【図８】
2014231355.tif 000010
【図９】
2014231355.tif 000011